【手続補正書】
【提出日】平成20年6月5日(2008.6.5)
【手続補正１】
【補正対象書類名】特許請求の範囲
【補正対象項目名】全文
【補正方法】変更
【補正の内容】
【特許請求の範囲】
【請求項１】
複数の画像を含んで個別のカードに切断され得る複合ラミネートシート内で用いられるコアストックシートを製造するためにコア基板層シートをラミネートするための方法であって、
概ね平坦なコア基板層シートをラミネート用間隙に連続的に供給するステップと、
セキュリティ、機能及び／又は装飾に関する少なくとも１つの特徴部又は層を含むフィルム又はフォイル中間層をラミネート用間隙に連続的に供給するステップと、
コアストックシートを製造するために、コア基板層シートに対してフィルム又はフォイル中間層をラミネートするステップと、
複合ラミネートシートを製造するために、コアストックシートを使用するステップとを有し、
複合ラミネートシートは、少なくとも１つのコアストックシートに加えて、少なくとも１つの印刷層及び／又は少なくとも１つの保護用オーバーレイ層を有し、
前記セキュリティ、機能及び／又は装飾に関する少なくとも１つの特徴部又は層が、複合ラミネートシート内に埋め込まれることを特徴とする方法。
【請求項２】
フィルム又はフォイル中間層上の前記セキュリティ、機能及び／又は装飾に関する少なくとも１つの特徴部又は層が、見当合わせされた状態でコア基板層シートに対して完全に又は部分的に転写されることを特徴とする請求項１に記載の方法。
【請求項３】
概ね平坦なコア基板層シートが、シートスタックからラミネート用間隙に供給されることを特徴とする請求項１に記載の方法。
【請求項４】
前記セキュリティに関する少なくとも１つの特徴部又は層が、壁紙模様、真空蒸着された金属又は他の化合物の選択的な脱金属化領域又は高屈折率領域を含むカスタマイズ画像、モーフィングホログラム、バーコード、機械により読み取り可能な画像、或いはアレーのなかの少なくとも１つにより特徴付けられるホログラフィー画像を含むことを特徴とする請求項１に記載の方法。
【請求項５】
前記セキュリティに関する少なくとも１つの特徴部又は層が、ＵＶ蛍光性、光輝性、燐光性、ＩＲ吸収／反射性、色彩シフト（ＯＶＩ，ＯＶＤ）性、熱変色性又は光互変性の要素、或いは識別用添加剤、マーカー、トレーサー、磁性インク、バーコード、可読画像、アレー、或いは不正加工検出要素のなかの少なくとも１つの要素の特性を有するインク又は添加剤を含むことを特徴とする請求項１に記載の方法。
【請求項６】
前記機能に関する少なくとも１つの特徴部又は層が、熱耐性、薬品耐性、ＵＶ耐性、磨耗耐性、摩擦係数の修正又は帯電防止特性のなかの少なくとも１つの特性を有するコーティング又は処理部を含むことを特徴とする請求項１に記載の方法。
【請求項７】
前記装飾に関する少なくとも１つの特徴部又は層が、ぼかしコーティング、織地コーティング、グラフィック、証印、木目模様、銀白模様、石模様又はマーブル模様のなかの少なくとも１つを含むことを特徴とする請求項１に記載の方法。
【請求項８】
フィルム又はフォイル中間層がラミネート用間隙に供給される前に、フィルム又はフォイル中間層に対して、水又は溶剤ベース型、ヒートシール型、ホットメルト型又は照射硬化型の接着剤を適用するステップをさらに有することを特徴とする請求項１に記載の方法。
【請求項９】
複合ラミネートシートが、スプリットコア又はモノコアであることを特徴とする請求項１に記載の方法。
【請求項１０】
コア基板層シートが、ＰＶＣ共重合体、ＰＶＣホモポリマー、ＰＥＴ、ＡＰＥＴ、ＰＥＴＧ、ＰＣ、ＰＳ、ＡＢＳ、ＰＢＴ、アクリル、ＰＥ／ＰＰ、ＨＩＰＳ、紙材又は板材を含むことを特徴とする請求項１に記載の方法。
【請求項１１】
フィルム又はフォイル中間層が、ＰＥＴ、ＡＰＥＴ、ＰＥＴＧ、ＰＢＴ、ＯＰＰ、他のオレフィン、ＰＶＣ、アクリル、ＨＩＰＳ、ＰＳ、ＰＣ又は共押出しフィルムを含むことを特徴とする請求項１に記載の方法。
【請求項１２】
請求項１に記載された方法により製造された製品。
【請求項１３】
前記セキュリティに関する少なくとも１つの特徴部又は層が、連続的、脱金属化、被ブラシ処理、装飾画像の保持、セキュリティ画像又はセキュリティ効果の保持、或いはＵＶコンポーネント又はＩＲコンポーネント又は光学的に変化可能なコンポーネントの保持のなかの少なくとも１つの特性を有する真空蒸着された金属表面であることを特徴とする請求項１に記載の方法。
【請求項１４】
複数の画像を含んで個別のカードに分離され得る複合ラミネートシート内で用いられるコアストックシートを製造するためのラミネート方法であって、
ラミネートする前に、セキュリティ、機能及び／又は装飾に関する１又は複数の特徴部又は層を、フィルム又はフォイル中間層に選択的に適用するステップと、
前記セキュリティ、機能及び／又は装飾に関する１又は複数の特徴部又は層を有するフィルム又はフォイル中間層をラミネート用間隙に供給するステップと、
コア基板層シートをラミネート用間隙に供給するステップと、
見当合わせされた状態で、コア基板層シートとフィルム又はフォイル中間層とをラミネートして、コアストックシートを製造するステップと、
少なくとも１つの印刷層及び／又は少なくとも１つの保護用オーバーレイ層をコアストックシートに適用して複合ラミネートシートを製造するステップとを有し、
前記セキュリティ、機能及び／又は装飾に関する少なくとも１つの特徴部又は層が、複合ラミネートシート内に埋め込まれることを特徴とする方法。
【請求項１５】
フィルム又はフォイル中間層の少なくとも一方の側面が、ホログラフィー処理、金属化処理、ブラシ処理、コーティング処理又は印刷処理されることを特徴とする請求項１４に記載の方法。
【請求項１６】
セキュリティ、機能及び／又は装飾に関する特徴部又は層をラミネートする後処理を実施することなく、複合ラミネートシートを、見当合わせされた状態の前記セキュリティ、機能及び／又は装飾に関する少なくとも１つの特徴部又は層をそれぞれが備えている個別のカードに分離するステップをさらに有することを特徴とする請求項２に記載の方法。
【請求項１７】
複数の画像を含んで選択的に個別のカードに分離され得る複合ラミネートシート内で用いられるラミネートされたコアストックシートであって、
コア基板層シートと、
コア基板層シートに対してラミネートされるフィルム又はフォイル中間層と、
フィルム又はフォイル中間層上に形成されるセキュリティ、機能及び／又は装飾に関する少なくとも１つの特徴部又は層とを有して構成され、
ラミネートされたコアストックシートに加えて、少なくとも１つの印刷層及び／又は少なくとも１つの保護用オーバーレイ層を有する複合ラミネートシート内に前記セキュリティ、機能及び／又は装飾に関する少なくとも１つの特徴部又は層が埋め込まれるようにラミネートされたコアストックシートを製造するために、フィルム又はフォイル中間層上に形成される前記セキュリティ、機能及び／又は装飾に関する少なくとも１つの特徴部又は層が、見当合わせされた状態で、コア基板層シートにラミネートされることを特徴とするラミネートされたコアストックシート。
【請求項１８】
フィルム又はフォイル中間層が、前記セキュリティ、機能及び／又は装飾に関する少なくとも１つの特徴部又は層に加えて、少なくとも１つの見当合わせ要素を有することを特徴とする請求項１７に記載のラミネートされたコアストックシート。
【請求項１９】
複数の画像を含み、製造後に個別のカードに切断され得る複合ラミネートシート内で用いられ、少なくとも１つのコア基板層シートと少なくとも１つのフィルム又はフォイル中間層とを有するコアストックシートを製造する方法であって、
セキュリティ、機能及び／又は装飾に関する少なくとも１つの特徴部又は層を、フィルム又はフォイル中間層に適用するステップと、
フィルム又はフォイル中間層をラミネート用間隙に供給するステップと、
コア基板層シートをラミネート用間隙に供給するステップと、
前記セキュリティ、機能及び／又は装飾に関する少なくとも１つの特徴部又は層がコアストックシート上又はコアストックシート内に配置されるように、コア基板層シートに対してフィルム又はフォイル中間層をラミネートしてコアストックシートを製造するステップと、
コアストックシートに加えて、少なくとも１つの印刷層及び／又は少なくとも１つの保護用オーバーレイ層を有する複合ラミネートシートを製造するためにコアストックシートを使用するステップとを有し、
複合ラミネートシートが完成した際に、前記セキュリティ、機能及び／又は装飾に関する少なくとも１つの特徴部又は層が複合ラミネートシート内に埋め込まれることを特徴とする方法。
【請求項２０】
フィルム又はフォイル中間層がラミネート用間隙に供給される前に、フィルム又はフォイル中間層に対してラミネート用接着剤を位置合わせしてコーティングするステップをさらに有することを特徴とする請求項１９に記載の方法。
【請求項２１】
複合ラミネートシートが個別のカードに切断される際に個別のカード上において前記セキュリティ、機能及び／又は装飾に関する少なくとも１つの特徴部又は層が見当合わせされるように、コア基板層シートに対してフィルム又はフォイル中間層をラミネートするステップの前に、コア基板層シートに対してフィルム又はフォイル中間層を見当合わせするステップをさらに有することを特徴とする請求項１９に記載の方法。
【請求項２２】
フィルム又はフォイル中間層が少なくとも１つの識別用マーク又は画像を含み、
基板層シートに対してフィルム又はフォイル中間層を見当合わせするステップが、フィルム又はフォイル中間層がラミネート用間隙に供給される際に少なくとも１つの識別用マーク又は画像を検出するステップと、フィルム又はフォイル中間層とコア基板層シートとがラミネート用間隙に供給される際にコア基板層シート上の選択位置に対して少なくとも１つの識別用マーク又は画像を位置合わせするステップとを含むことを特徴とする請求項２１に記載の方法。
【請求項２３】
複合ラミネートシートを個別のカードに分離するステップをさらに有することを特徴とする請求項２１に記載の方法。
【請求項２４】
請求項１９に記載された方法により製造された製品。
【請求項２５】
請求項１４に記載された方法により製造された製品。
【請求項２６】
フィルム又はフォイル中間層とそれぞれの平坦なコア基板層シートとがラミネート用間隙に供給される際に、それぞれの平坦なコア基板層シートに対してフィルム又はフォイル中間層を見当合わせするステップをさらに有することを特徴とする請求項１に記載の方法。
【請求項２７】
フィルム又はフォイル中間層が少なくとも１つの識別用マーク又は画像を含み、
それぞれの平坦な基板層シートに対してフィルム又はフォイル中間層を見当合わせするステップが、フィルム又はフォイル中間層がラミネート用間隙に供給される際に少なくとも１つの識別用マーク又は画像を検出するステップと、フィルム又はフォイル中間層とそれぞれの平坦なコア基板層シートとがラミネート用間隙に供給される際にそれぞれの平坦なコア基板層シート上の選択位置に対して少なくとも１つの識別用マーク又は画像を位置合わせするステップとを含むことを特徴とする請求項２６に記載の方法。
【請求項２８】
フィルム又はフォイル中間層がラミネート用間隙に供給される前に、フィルム又はフォイル中間層に対してラミネート用接着剤をコーティングするステップをさらに有することを特徴とする請求項１４に記載の方法。
【請求項２９】
ラミネート用接着剤を架橋結合するステップをさらに有することを特徴とする請求項２８に記載の方法。
【請求項３０】
複合ラミネートシートが個別のカードに分離される際に個別のカード上において前記セキュリティ、機能及び／又は装飾に関する少なくとも１つの特徴部又は層が見当合わせされるように、コア基板層シート上の１又は複数の特定位置に対してフィルム又はフォイル中間層を見当合わせするステップをさらに有することを特徴とする請求項１４に記載の方法。
【請求項３１】
フィルム又はフォイル中間層が少なくとも１つの識別用マーク又は画像を含み、
基板層シートに対してフィルム又はフォイル中間層を見当合わせするステップが、フィルム又はフォイル中間層がラミネート用間隙に供給される際に少なくとも１つの識別用マーク又は画像を検出するステップと、フィルム又はフォイル中間層とコア基板層シートとがラミネート用間隙に供給される際にコア基板層シート上の選択位置に対して少なくとも１つの識別用マーク又は画像を位置合わせするステップとを含むことを特徴とする請求項３０に記載の方法。
【請求項３２】
コア基板層シートが、ＰＶＣ、ＰＶＣ共重合体、ＰＶＣホモポリマー、ＰＥＴ、ＡＰＥＴ、ＰＥＴＧ、ＰＣ、ＰＳ、ＡＢＳ、ＰＢＴ、アクリル、ＰＥ／ＰＰ、ＨＩＰＳ、紙材又は板材であることを特徴とする請求項１７に記載のラミネートされたコアストックシート。
【請求項３３】
複合ラミネートシートが個別のカードに分離される際に、それぞれのカード上において前記セキュリティ、機能及び／又は装飾に関する少なくとも１つの特徴部又は層が正確に見当合わせされることを特徴とする請求項１７に記載のラミネートされたコアストックシート。